(57)【特許請求の範囲】
【請求項１】
構内交換装置と携帯内線電話機とを使用する内線電話システムであって、
前記構内交換装置は、設定された内線機能と前記構内交換装置に任意に設定した特定の通話方法を選択するための番号を示す特番とについての特番リストを取得する手段と、その取得した前記特番リストを記憶する第１の記憶手段とを有し、
前記携帯内線電話機は、前記特番リストを前記構内交換装置から取得した時に当該特番リストの前記内線機能と前記特番とを前記特番の入力用の専用キー及び前記特番の入力ＧＵＩ（Ｇｒａｐｈｉｃａｌ  Ｕｓｅｒ  Ｉｎｔｅｒｆａｃｅ）のいずれかに対して割り当てる割り当て手段を有し、
前記携帯内線電話機は、前記構内交換装置から取得した前記特番リストを記憶
する第２の記憶手段を含み、
前記構内交換装置から前記特番リストを取得した時に当該特番リストの最終更新日時が前記第２の記憶手段に記憶した特番リストの最終更新日時と同一であることを確認し、同一でない場合に前記特番リストの再取得／割り当て処理を行い、
前記第２の記憶手段は、複数の構内交換機毎の固有の値とその固有の値で特定される構内交換機の特番リストとを対応付けて記憶し、
前記携帯内線電話機は、前記構内交換装置への初回接続時に前記固有の値を取得し、その固有の値を基に接続した構内交換機に対応した特番リストの確認を行うことを特徴とする内線電話システム。
【請求項２】
前記携帯内線電話機は、前記構内交換装置への初回接続時に前記特番リストを前記構内交換装置から取得する手段を含み、
前記割り当て手段は、その取得した特番リストの前記内線機能と前記特番とを前記専用キー及び前記入力ＧＵＩに割り当てることを特徴とする請求項１記載の内線電話システム。
【請求項３】
前記携帯内線電話機は、前記特番を割り当てられた専用キーの点灯と前記入力ＧＵＩの表示形態の変更とのいずれかを行うことを特徴とする請求項１または請求項２記載の内線電話システム。
【請求項４】
前記入力ＧＵＩは、少なくともファイルの内容とプログラムの種別及び機能とを表す図柄を示すアイコンを含むことを特徴とする請求項１から請求項３のいずれか記載の内線電話システム。
【請求項５】
前記入力ＧＵＩの表示形態の変更は、少なくとも前記アイコンの色変更、前記アイコンの形状変更、前記アイコンの表示／非表示のいずれかであることを特徴とする請求項４記載の内線電話システム。
【請求項６】
前記携帯内線電話機は、前記特番が割り当てられた前記入力ＧＵＩに前記構内交換装置から取得した特番リストの内線機能名を表示することを特徴とする請求項１から請求項５のいずれか記載の内線電話システム。
【請求項７】
前記携帯内線電話機は、前記構内交換装置から取得した特番リストを基に前記入力ＧＵＩに前記内線機能と前記特番とを順番に割り振り、当該特番リストの内線機能名を前記アイコンに表示することを特徴とする請求項４から請求項６のいずれか記載の内線電話システム。
【請求項８】
前記構内交換装置がＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）であることを特徴とする請求項１から請求項７のいずれか記載の内線電話システム。
【請求項９】
構内交換装置とともに内線電話システムを構成する携帯内線電話機であって、
前記構内交換装置が設定された内線機能と前記構内交換装置に任意に設定した特定の通話方法を選択するための番号を示す特番とについての特番リストを取得して第１の記憶手段に記憶した特番リストを前記構内交換装置から受信した時に当該特番リストの前記内線機能と前記特番とを前記特番の入力用の専用キー及び前記特番の入力ＧＵＩ（Ｇｒａｐｈｉｃａｌ  Ｕｓｅｒ  Ｉｎｔｅｒｆａｃｅ）のいずれかに対して割り当てる割り当て手段を有し、
前記構内交換装置から受信した前記特番リストを記憶する第２の記憶手段を含み、
前記構内交換装置から前記特番リストを取得した時に当該特番リストの最終更新日時が前記第２の記憶手段に記憶した特番リストの最終更新日時と同一であることを確認し、同一でない場合に前記特番リストの再取得／割り当て処理を行い、
前記第２の記憶手段は、複数の構内交換機毎の固有の値とその固有の値で特定される構内交換機の特番リストとを対応付けて記憶し、
前記構内交換装置への初回接続時に前記固有の値を取得し、その固有の値を基に接続した構内交換機に対応した特番リストの確認を行うことを特徴とする携帯内線電話機。
【請求項１０】
前記構内交換装置への初回接続時に前記特番リストを前記構内交換装置から取得する手段を含み、
前記割り当て手段は、その取得した特番リストの前記内線機能と前記特番とを前記専用キー及び前記入力ＧＵＩに割り当てることを特徴とする請求項９記載の携帯内線電話機。
【請求項１１】
前記特番を割り当てられた専用キーの点灯と前記入力ＧＵＩの表示形態の変更とのいずれかを行うことを特徴とする請求項９または請求項１０記載の携帯内線電話機。
【請求項１２】
前記入力ＧＵＩは、少なくともファイルの内容とプログラムの種別及び機能とを表す図柄を示すアイコンを含むことを特徴とする請求項９から請求項１１のいずれか記載の携帯内線電話機。
【請求項１３】
前記入力ＧＵＩの表示形態の変更は、少なくとも前記アイコンの色変更、前記アイコンの形状変更、前記アイコンの表示／非表示のいずれかであることを特徴とする請求項１２記載の携帯内線電話機。
【請求項１４】
前記特番が割り当てられた前記入力ＧＵＩに前記構内交換装置から取得した特番リストの内線機能名を表示することを特徴とする請求項９から請求項１３のいずれか記載の携帯内線電話機。
【請求項１５】
前記構内交換装置から取得した特番リストを基に前記入力ＧＵＩに前記内線機能と前記特番とを順番に割り振り、当該特番リストの内線機能名を前記アイコンに表示することを特徴とする請求項１２から請求項１４のいずれか記載の携帯内線電話機。
【請求項１６】
前記構内交換装置がＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）であることを特徴とする請求項９から請求項１５のいずれか記載の携帯内線電話機。
【請求項１７】
構内交換装置と携帯内線電話機とを使用する内線電話システムに用いる特番設定方法であって、
前記構内交換装置が、設定された内線機能と前記構内交換装置に任意に設定した特定の通話方法を選択するための番号を示す特番とについての特番リストを取得し、その取得した前記特番リストを第１の記憶手段に記憶するとともに、
前記携帯内線電話機が、前記特番リストを前記構内交換装置から取得した時に当該特番リストの前記内線機能と前記特番とを前記特番の入力用の専用キー及び前記特番の入力ＧＵＩ（Ｇｒａｐｈｉｃａｌ  Ｕｓｅｒ  Ｉｎｔｅｒｆａｃｅ）のいずれかに対して割り当てる割り当て処理を実行し、
前記携帯内線電話機が、前記構内交換装置から取得した前記特番リストを第２の記憶手段に記憶する処理を実行し、前記構内交換装置から前記特番リストを取得した時に当該特番リストの最終更新日時が前記第２の記憶手段に記憶した特番リストの最終更新日時と同一であることを確認し、同一でない場合に前記特番リストの再取得／割り当て処理を行い、
前記第２の記憶手段が、複数の構内交換機毎の固有の値とその固有の値で特定される構内交換機の特番リストとを対応付けて記憶し、
前記携帯内線電話機が、前記構内交換装置への初回接続時に前記固有の値を取得し、その固有の値を基に接続した構内交換機に対応した特番リストの確認を行うことを特徴とする特番設定方法。
【請求項１８】
前記携帯内線電話機が、前記構内交換装置への初回接続時に前記特番リストを前記構内交換装置から取得する処理を実行し、
前記割り当て処理が、その取得した特番リストの前記内線機能と前記特番とを前記専用キー及び前記入力ＧＵＩに割り当てることを特徴とする請求項１７記載の特番設定方法。
【請求項１９】
前記携帯内線電話機が、前記特番を割り当てられた専用キーの点灯と前記入力ＧＵＩの表示形態の変更とのいずれかを行うことを特徴とする請求項１７または請求項１８記載の特番設定方法。
【請求項２０】
前記入力ＧＵＩが、少なくともファイルの内容とプログラムの種別及び機能とを表す図柄を示すアイコンを含むことを特徴とする請求項１７から請求項１９のいずれか記載の特番設定方法。
【請求項２１】
前記入力ＧＵＩの表示形態の変更が、少なくとも前記アイコンの色変更、前記アイコンの形状変更、前記アイコンの表示／非表示のいずれかであることを特徴とする請求項２０記載の特番設定方法。
【請求項２２】
前記携帯内線電話機が、前記特番が割り当てられた前記入力ＧＵＩに前記構内交換装置から取得した特番リストの内線機能名を表示することを特徴とする請求項１７から請求項２１のいずれか記載の特番設定方法。
【請求項２３】
前記携帯内線電話機が、前記構内交換装置から取得した特番リストを基に前記入力ＧＵＩに前記内線機能と前記特番とを順番に割り振り、当該特番リストの内線機能名を前記アイコンに表示することを特徴とする請求項２０から請求項２２のいずれか記載の特番設定方法。
【請求項２４】
前記構内交換装置がＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）であることを特徴とする請求項１７ら請求項２３のいずれか記載の特番設定方法。
【発明の詳細な説明】
【技術分野】
【０００１】
本発明は内線電話システム、携帯内線電話機及びそれらに用いる特番設定方法に関し、特に内線電話システムを構成するＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）における特番の設定方法に関する。
【背景技術】
【０００２】
従来、ＰＢＸに接続できる内線電話機では、ＰＢＸに任意に設定した特定の通話方法を選択するための番号である特番の入力用に設けられた専用キーの押下や、画面上のアイコン（ファイルの内容やプログラムの種別、機能等を表す図柄）の選択等によって特番入力を簡単に行うことができる（例えば、特許文献１参照）。
【０００３】
【特許文献１】特開２０００−１５１８２０号公報
【発明の開示】
【発明が解決しようとする課題】
【０００４】
しかしながら、上述した従来の内線電話システムでは、システム管理者またはユーザが手動で、内線電話のキーまたはアイコン等の特番入力ＧＵＩ（Ｇｒａｐｈｉｃａｌ  Ｕｓｅｒ  Ｉｎｔｅｒｆａｃｅ）に特番を設定する必要があり、その作業が煩雑であるとともに、手間がかかるという問題がある。
【０００５】
また、従来の内線電話システムでは、携帯内線電話の場合、１台で複数の内線網（ＩＰ−ＰＢＸ）に接続できる場合があり、その場合にはＩＰ−ＰＢＸ毎に特番が異なるため、特番割り付けをし直す必要がある。
【０００６】
そこで、本発明の目的は上記の問題点を解消し、人手を介さずに特番入力を簡便に行うことができる内線電話システム、携帯内線電話機及びそれらに用いる特番設定方法を提供することにある。
【課題を解決するための手段】
【０００７】
本発明による内線電話システムは、構内交換装置と携帯内線電話機とを使用する内線電話システムであって、
前記構内交換装置は、設定された内線機能と前記構内交換装置に任意に設定した特定の通話方法を選択するための番号を示す特番とについての特番リストを取得する手段と、その取得した前記特番リストを記憶する第１の記憶手段とを備え、
前記携帯内線電話機は、前記特番リストを前記構内交換装置から取得した時に当該特番リストの前記内線機能と前記特番とを前記特番の入力用の専用キー及び前記特番の入力ＧＵＩ（Ｇｒａｐｈｉｃａｌ  Ｕｓｅｒ  Ｉｎｔｅｒｆａｃｅ）のいずれかに対して割り当てる割り当て手段を備え、
前記携帯内線電話機は、前記構内交換装置から取得した前記特番リストを記憶
する第２の記憶手段を含み、
前記構内交換装置から前記特番リストを取得した時に当該特番リストの最終更新日時が前記第２の記憶手段に記憶した特番リストの最終更新日時と同一であることを確認し、同一でない場合に前記特番リストの再取得／割り当て処理を行い、
前記第２の記憶手段は、複数の構内交換機毎の固有の値とその固有の値で特定される構内交換機の特番リストとを対応付けて記憶し、
前記携帯内線電話機は、前記構内交換装置への初回接続時に前記固有の値を取得し、その固有の値を基に接続した構内交換機に対応した特番リストの確認を行っている。
【０００９】
本発明による携帯内線電話機は、構内交換装置とともに内線電話システムを構成する携帯内線電話機であって、
前記構内交換装置が設定された内線機能と前記構内交換装置に任意に設定した特定の通話方法を選択するための番号を示す特番とについての特番リストを取得して第１の記憶手段に記憶した特番リストを前記構内交換装置から受信した時に当該特番リストの前記内線機能と前記特番とを前記特番の入力用の専用キー及び前記特番の入力ＧＵＩ（Ｇｒａｐｈｉｃａｌ  Ｕｓｅｒ  Ｉｎｔｅｒｆａｃｅ）のいずれかに対して割り当てる割り当て手段を備え、
前記構内交換装置から受信した前記特番リストを記憶する第２の記憶手段を含み、
前記構内交換装置から前記特番リストを取得した時に当該特番リストの最終更新日時が前記第２の記憶手段に記憶した特番リストの最終更新日時と同一であることを確認し、同一でない場合に前記特番リストの再取得／割り当て処理を行い、
前記第２の記憶手段は、複数の構内交換機毎の固有の値とその固有の値で特定される構内交換機の特番リストとを対応付けて記憶し、
前記構内交換装置への初回接続時に前記固有の値を取得し、その固有の値を基に接続した構内交換機に対応した特番リストの確認を行っている。
【００１０】
本発明による特番設定方法は、構内交換装置と携帯内線電話機とを使用する内線電話システムに用いる特番設定方法であって、
前記構内交換装置が、設定された内線機能と前記構内交換装置に任意に設定した特定の通話方法を選択するための番号を示す特番とについての特番リストを取得し、その取得した前記特番リストを第１の記憶手段に記憶するとともに、
前記携帯内線電話機が、前記特番リストを前記構内交換装置から取得した時に当該特番リストの前記内線機能と前記特番とを前記特番の入力用の専用キー及び前記特番の入力ＧＵＩ（Ｇｒａｐｈｉｃａｌ  Ｕｓｅｒ  Ｉｎｔｅｒｆａｃｅ）のいずれかに対して割り当てる割り当て処理を実行し、
前記携帯内線電話機が、前記構内交換装置から取得した前記特番リストを第２の記憶手段に記憶する処理を実行し、前記構内交換装置から前記特番リストを取得した時に当該特番リストの最終更新日時が前記第２の記憶手段に記憶した特番リストの最終更新日時と同一であることを確認し、同一でない場合に前記特番リストの再取得／割り当て処理を行い、
前記第２の記憶手段が、複数の構内交換機毎の固有の値とその固有の値で特定される構内交換機の特番リストとを対応付けて記憶し、
前記携帯内線電話機が、前記構内交換装置への初回接続時に前記固有の値を取得し、その固有の値を基に接続した構内交換機に対応した特番リストの確認を行っている。
【００１１】
すなわち、本発明の内線電話システムは、ＩＰ−ＰＢＸ（Ｉｎｔｅｒｎｅｔ  Ｐｒｏｔｏｃｏｌ−Ｐｒｉｖａｔｅ  Ｂｒａｎｃｈ  ｅＸｃｈａｎｇｅ）と携帯内線電話機とを使用するシステムにおいて、ＩＰ−ＰＢＸサーバが自動生成した特番リストを自動取得し、携帯内線電話機の特番入力用の専用キーまたはアイコン（ファイルの内容やプログラムの種別、機能等を表す図柄）等の特番入力ＧＵＩ（Ｇｒａｐｈｉｃａｌ  Ｕｓｅｒ  Ｉｎｔｅｒｆａｃｅ）に対して割り当てることによって、ユーザ等の人手による面倒な設定を行うことなく、キーまたはアイコン等による簡便な特番入力を可能としている。
【００１２】
より具体的に説明すると、本発明の内線電話システムでは、ＩＰ−ＰＢＸにおいて、入力部と表示部とを使用して特番設定が行われた場合、制御部が使用できる内線機能と特番（ＩＰ−ＰＢＸに任意に設定した特定の通話方法を選択するための番号）とについての特番リストを自動作成し、その特番リストを更新日時とともに記憶部に登録する。
【００１３】
携帯内線電話機は新しく内線網に接続時、すなわちＩＰ−ＰＢＸとの初期通信時に、制御部が通信部から通信路を通じてＩＰ−ＰＢＸに特番リストの最新更新日時を問い合わせる。ＩＰ−ＰＢＸは通信部からの問い合わせを受信すると、制御部が記憶部に登録されている特番リストの最終更新日時を確認し、通信部から通信路を通じて携帯内線電話機に回答する。
【００１４】
携帯内線電話機は通信部から回答を受信すると、制御部が記憶部に保存されている特番リストの最終更新日時と比較し、最新の特番リストを保持していない場合、通信部から通信路を通じてＩＰ−ＰＢＸに特番リストの送信を要求する。ＩＰ−ＰＢＸは通信部から特番リストの送信が要求されると、記憶部に登録されている特番リストを通信部から通信路を通じて携帯内線電話機に送信する。
【００１５】
携帯内線電話機は通信部から特番リストを受信すると、制御部が記憶部に特番リストを保存し、同時に特番入力用の専用キーまたはアイコン等の特番入力ＧＵＩに対して特番の割り当てを行う。その際、制御部は実際に特番が割り当てられた特番入力用の専用キーの点灯、アイコン等の特番入力ＧＵＩについてはアイコンの色の変更等でその特番が設定済みであることを通知する。
【００１６】
以降、ユーザが入力部から特番入力用の専用キーの押下、またはアイコン等の特番入力ＧＵＩの選択を行った場合、制御部は割り当てられた特番をＩＰ−ＰＢＸに対して発信する。
【００１７】
これによって、本発明の内線電話システムでは、入力部から特番入力用の専用キーの押下またはアイコン等の特番入力ＧＵＩの選択が行われた場合に発信する特番の割り当てを、人手を介することなく行うことが可能となる。また、本発明の内線電話システムでは、専用キー、ＧＵＩのどれが特番割り当て済かを視覚的に理解することが可能となる。
【００１８】
つまり、本発明の内線電話システムでは、ＩＰ−ＰＢＸが自動作成した特番リストを携帯内線電話機が初回接続時に取得し、特番入力用の専用キー、アイコン等のＧＵＩに割り当てることで、人手を介さずに特番入力を簡便に行うことが可能となる。
【００１９】
また、本発明の内線電話システムでは、特番が割り当てられた特番入力用の専用キーの点灯、またはアイコン等のＧＵＩへのアイコン色の変更等を行い、その特番が設定済みであることを通知することによって、専用キー、ＧＵＩのどれが特番割り当て済みかを視覚的に理解することが可能となる。
【００２０】
さらに、本発明の内線電話システムでは、ＩＰ−ＰＢＸに登録された特番リストの最終更新日時が携帯内線電話機内の特番リストと異なる場合に、再度、自動的に特番割り当てを行うことによって、ＩＰ−ＰＢＸで特番設定が変更された場合でもユーザに意識させることなく最新の特番割り当てが可能となる。
【発明の効果】
【００２１】
本発明は、上記のような構成及び動作とすることで、人手を介さずに特番入力を簡便に行うことができるという効果が得られる。
【発明を実施するための最良の形態】
【００２２】
次に、本発明の実施例について図面を参照して説明する。図１は本発明の第１の実施例による内線電話システムの構成を示すブロック図である。図１において、本発明の第１の実施例による内線電話システムは、ＩＰ（Ｉｎｔｅｒｎｅｔ  Ｐｒｏｔｏｃｏｌ）内線電話システムにおける携帯式の端末である携帯内線電話機１と、ＰＢＸ（Ｐｒｉｖａｔｅ  Ｂｒａｎｃｈ  ｅＸｃｈａｎｇｅ）機能を持つサーバであるＩＰ−ＰＢＸ２と、それら携帯内線電話機１とＩＰ−ＰＢＸ２と
の間を結ぶ通信路１００とから構成されている。
【００２３】
携帯内線電話機１はＩＰ内線電話システムにおいて通話可能な携帯端末であり、内線番号や特番を入力するための入力部１１と、入力中の番号の表示等の各種表示を行う表示部１５と、通信路１００を介してＩＰ−ＰＢＸ２との通信を行う機能を有する通信部１３と、使用できる内線機能と特番（ＩＰ−ＰＢＸに任意に設定した特定の通話方法を選択するための番号）とについての特番リスト等の各種データを保存する記憶部１４と、各部を制御して目的の動作を実行する制御部１２とから構成されている。尚、制御部１２による各部の制御は、制御部１２が記憶部１４に格納されたプログラムを実行することで実現される。
【００２４】
ＩＰ−ＰＢＸ２はＩＰ内線電話システムで電話交換機能を実現するサーバであり、内線特番等の各種設定をＩＰ−ＰＢＸに対して行うための入力部２１と、設定データの入力結果等を表示するための表示部２５と、携帯内線電話機１との通信を通信路１００を介して行う機能を有する通信部２３と、特番リスト等の各種データを保存する記憶部２４と、各部を制御して目的の動作を実行する制御部２２とから構成されている。尚、制御部２２による各部の制御は、制御部２２が記憶部２４に格納されたプログラムを実行することで実現される。
【００２５】
通信路１００は携帯内線電話機１とＩＰ−ＰＢＸ２との通信を行うための経路（内線網）であり、通常は一部または全部の区間で無線を介したＩＰ網であるが、全てが有線のＩＰ網であってもよい。
【００２６】
図２は図１に示す携帯内線電話機１内の制御部１２の構成例を示すブロック図である。図２において、制御部１２はＩＰ−ＰＢＸ２から特番リストを取得する機能である特番リスト取得機能１２１と、取得した特番リストを特番入力用の専用キーまたはアイコン（ファイルの内容やプログラムの種別、機能等を表す図柄）等の特番入力ＧＵＩ（Ｇｒａｐｈｉｃａｌ  Ｕｓｅｒ  Ｉｎｔｅｒｆａｃｅ）等に割り当てる特番リスト割り当て機能１２２と、特番が割り当てられた特番入
力用の専用キーの点灯またはアイコンの色の変更等でその特番が設定済であることを通知する設定特番表示機能１２３と、基本的な内線電話機能を実現するために動作する内線電話機能１２４とから構成されている。
【００２７】
図３は図１に示すＩＰ−ＰＢＸ２内の制御部２２の構成例を示すブロック図である。図３において、制御部２２は特番をＰＢＸ機能に設定するための特番設定機能２２１と、設定された特番から自動的に特番リストを作成する特番リスト作成機能２２２と、基本的なＰＢＸ機能である内線電話交換機能２２３とから構成されている。
【００２８】
図４は図１に示すＩＰ−ＰＢＸ２の動作を示すフローチャートであり、図５は図１に示す携帯内線電話機１の動作を示すフローチャートである。これら図１〜図５を参照して、本発明の第１の実施例による内線電話システムの動作について説明する。尚、図４に示す処理はＩＰ−ＰＢＸ２の制御部２２が記憶部２４のプログラムを実行することで実現され、図５に示す処理は携帯内線電話機１の制御部１２が記憶部１４のプログラムを実行することで実現される。
【００２９】
ＩＰ−ＰＢＸ２は特番設定機能２２１を使用して、入力部２１と表示部２５とから特番設定が行われた場合（図４ステップＳ１）、制御部２２によって自動的に特番リスト作成機能２２２が起動され、使用できる内線機能と特番とについての特番リストを自動作成して記憶部２４に登録する（図４ステップＳ２）。その際、ＩＰ−ＰＢＸ２は特番リストの記憶部２４への登録と同時に、最終更新日時も記憶部２４に登録する。
【００３０】
携帯内線電話機１は新しく内線網に接続時、例えば電源ＯＮ後のＩＰ−ＰＢＸ２との初期通信時（初回接続時）に（図５ステップＳ１１）、制御部１２にて特番リスト取得機能１２１が自動起動され、まず記憶部１４に特番リストが存在するかが確認される（図５ステップＳ１２）。携帯内線電話機１は特番リストが記憶部１４にない場合、ＩＰ−ＰＢＸ２から特番リスト取得する（図５ステップＳ１５）。
【００３１】
また、携帯内線電話機１は特番リストが記憶部１４に存在した場合、ＩＰ−ＰＢＸ２に通信部１３から通信路３を介して特番リストの最終更新日時を問い合わせ、通信部２３から問い合わせを受信したＩＰ−ＰＢＸ２の制御部２２が記憶部２４に登録されている特番リストの最終更新日時を確認し、通信部２３より通信路３を通じて回答する（図５ステップＳ１３）。
【００３２】
携帯内線電話機１の制御部１２は通信部１３からその回答を受信すると、ＩＰ−ＰＢＸ２からの特番リストの最終更新日時と記憶部１４に保存されている特番リストの最終更新日時とを比較し（図５ステップＳ１４）、それらの日時が同一でなければ、ＩＰ−ＰＢＸ２から特番リスト取得する（図５ステップＳ１５）。
【００３３】
この場合、制御部１２は通信部１３から通信路１００を通じてＩＰ−ＰＢＸ２に特番リストの送信を要求する。ＩＰ−ＰＢＸ２の制御部２２は通信部２３から特番リストの送信が要求されると、記憶部２４に登録されている特番リストを通信部２３から通信路１００を通じて携帯内線電話機１に送信する。制御部１２は通信部１３から特番リストを受信すると、その特番リストを最終更新日時とともに記憶部１４に保存する。
【００３４】
さらに、制御部１２は特番リスト割り当て機能１２２を起動し、特番入力用の専用キーまたはアイコン等の特番入力ＧＵＩに対して特番の割り当てを行う（図５ステップＳ１６）。さらにまた、制御部１２は設定特番表示機能１２３を起動し、実際に特番が割り当てられた特番入力用の専用キーの点灯、または表示部１５に表示されるアイコン等の特番入力ＧＵＩについてのアイコンの色の変更等を行い、その特番が設定済みであることを通知する（図５ステップＳ１７）。
【００３５】
上記のステップＳ１４の処理で、ＩＰ−ＰＢＸ２と携帯内線電話機１とで所有する特番リストの最終更新日時が同じだった場合、特番入力用の専用キーまたはアイコン等の特番入力ＧＵＩへの特番割り当て、キーの点灯またはアイコンの色の変更等による割り当て表示は前回の設定をそのまま使用する。
【００３６】
以降、入力部１１から特番入力用の専用キーの押下、またはアイコン等のＧＵＩの選択が行われた場合、制御部１２は割り当てられた特番を内線電話機能１２４を使用してＩＰ−ＰＢＸ２の内線電話交換機能２２３に対して発信する。
【００３７】
これによって、本実施例では、入力部１１から特番入力用の専用キーの押下、またはアイコン等のＧＵＩの選択が行われた場合に発信する特番の割り当てを、人手を介することなく行うことができる。また、本実施例では、専用キー、ＧＵＩのどれが特番割り当て済みかを視覚的に理解しやすくすることができる。
【００３８】
図６は本発明の第１の実施例による特番リストを示す図であり、図７は本発明の第１の実施例による専用キーへの特番の割り当てを示す図であり、図８は本発明の第１の実施例によるアイコンへの特番の割り当てを示す図であり、図９は本発明の第１の実施例による専用キーの点灯イメージを示す図であり、図１０は本発明の第１の実施例によるアイコンの色変更イメージを示す図である。これら図６〜図１０を参照して本発明の第１の実施例による特番設定方法を具体的に説明する。
【００３９】
ＩＰ−ＰＢＸ２において、特番設定機能２２１を使用して入力部２１と表示部２５とによって、内線機能「コールピックアップ」に特番「１１」を、内線機能「不在転送」に特番「１２」を設定すると、制御部２２は自動的に特番リスト作成機能２２２を起動し、図６に示すような特番リストを自動作成し、その特番リストを記憶部２４に登録する。ここでは、２つの特番のみがＩＰ−ＰＢＸ２に登録されているものとする。その際、図示していないが、記憶部２４には特番リストの登録とともに、最終更新日時の登録も同時に行われる。
【００４０】
携帯内線電話機１では新しく内線網に接続した時、例えば電源ＯＮ後のＩＰ−ＰＢＸ２との初期通信時（初回接続時）に、制御部１２が特番リスト取得機能１２１を自動起動し、まず記憶部１４に特番リストが存在するか否かを確認する。特番リストが存在する場合には、ＩＰ−ＰＢＸ２に特番リストの最終更新日時の問い合わせを行う。
【００４１】
ＩＰ−ＰＢＸ２から回答された最終更新日時が記憶部１４に登録されたものと同一でない場合、制御部１２はＩＰ−ＰＢＸ２の特番リストの送信依頼を行い、ＩＰ−ＰＢＸ２から記憶部２４に保存された特番リストが送信されてくる。制御部１２はＩＰ−ＰＢＸ２から送信されてきた特番リストを最終更新日時とともに記憶部１４に保存する。
【００４２】
また、制御部１２は上記の処理に継続して、特番リスト割り当て機能１２２を起動し、特番入力用の専用キーまたはアイコン等のＧＵＩに対して、図７及び図８に示すような特番の割り当てを行う。
【００４３】
図７においては、「拡張キー１」に内線機能「コールピックアップ」及び特番「１１」が、「拡張キー２」に内線機能「不在転送」及び特番「１２」がそれぞれ割り当てられる。但し、「拡張キー３」には特番が未設定の内線機能「話中転送」が割り当てられている。
【００４４】
図８においては、「アイコン１」に内線機能「コールピックアップ」及び特番「１１」が、「アイコン２」に内線機能「不在転送」及び特番「１２」がそれぞれ割り当てられる。但し、「アイコン３」には特番が未設定の内線機能「話中転送」が割り当てられている。
【００４５】
さらに、制御部１２は上記の処理に継続して、設定特番表示機能１２３を起動し、実際に特番が割り当てられた特番入力用の専用キーの点灯（図９参照）、または表示部１５に表示されるアイコン等のＧＵＩへのアイコンの色変更（図１０参照）等を行い、その特番が設定済みであることを通知する。尚、図９では、ボタンに「Ｃピックアップ」と表示しているが、これは「コールピックアップ」専用に設けられたキーというわけではなく、「拡張キー１」に「コールピックアップ」機能を割り当てると、ユーザまたはシステム管理者が予め取り決めたものである。
【００４６】
以降、例えば、図９で「Ｃピックアップ」（＝コールピックアップ）と表示された「拡張１キー」が押下された場合、制御部１２は割り当てられた特番「１１」を内線電話機能１２４を使用してＩＰ−ＰＢＸ２の内線電話交換機能２２３に対して発信する。
【００４７】
このように、本実施例では、ＩＰ−ＰＢＸ２が自動作成した特番リストを携帯内線電話機１が初回接続時に取得し、その特番リストの特番を特番入力用の専用キーまたはアイコン等のＧＵＩに割り当てることで、人手を介さずに簡便な特番入力方法を提供することができる。
【００４８】
また、本実施例では、特番が割り当てられた特番入力用の専用キーの点灯、またはアイコン等のＧＵＩへのアイコンの色変更等を行い、その特番が設定済みであることを通知することによって、専用キー、ＧＵＩのどれが特番割り当て済みかを視覚的に理解しやすくすることができる。
【００４９】
さらに、本実施例では、ＩＰ−ＰＢＸ２に登録された特番リストの最終更新日時が、携帯内線電話機１内の特番リストとともに登録された最終更新日と異なる場合に再度自動的に特番割り当てを行うことによって、ＩＰ−ＰＢＸ２で特番設定が変更された場合にも、ユーザに意識させることなく、最新の特番割り当てを行うことができる。
【００５０】
図１１は本発明の第２の実施例による携帯内線電話機の動作を示すフローチャートである。本発明の第２の実施例による内線電話システムは図示せぬ複数のＩＰ−ＰＢＸに接続できるようにした以外は、図１に示す本発明の第１の実施例による内線電話システムと同様の構成となっている。このような場合には、ＩＰ−ＰＢＸ毎に特番設定が異なる。
【００５１】
そこで、本発明の第２の実施例では、図１に示す記憶部１４に複数の特番リストを登録できるようにし、ＩＰ−ＰＢＸ２への初回接続時にＩＰ−ＰＢＸ毎の固有の値、例えばユニークに付けられたサーバ名やＭＡＣ（Ｍｅｄｉａ  Ａｃｃｅｓｓ  Ｃｏｎｔｒｏｌ）アドレス等を取得し、これをキーとしてＩＰ−ＰＢＸ毎に特番リストを保存することとする。
【００５２】
図１１においては、図５におけるステップＳ１２，Ｓ１４の部分で、記憶部１４に保存された特番リストの確認を行っているものを「接続したＩＰ−ＰＢＸに対応した特番リスト」の確認を行うように改良しており（ステップＳ２２，Ｓ２４）、他のステップＳ２１，Ｓ２３，Ｓ２５〜Ｓ２７は図５のステップＳ１１，Ｓ１３，Ｓ１５〜Ｓ１７と同様の処理となっている。この図１１を参照して、本発明の第２の実施例による携帯内線電話機の動作について説明する。
【００５３】
携帯内線電話機１では新しく内線網に接続時、すなわちＩＰ−ＰＢＸ２との初期通信時（初回接続時）に、制御部１２が特番リスト取得機能１２１を自動起動し、まず、接続したＩＰ−ＰＢＸ２に固有の値、例えば「ＰＢＸ１２３」というサーバ名を取得する（図１１ステップＳ２１）。
【００５４】
次に、制御部１２は記憶部１４に複数登録された特番リストから、「ＰＢＸ１２３」に対応した特番リストが存在するかを確認する（図１１ステップＳ２２）。特番リストが存在する場合、制御部１２はＩＰ−ＰＢＸ２に対して特番リストの最終更新日時の問い合わせを行う（図１１ステップＳ２３）。
【００５５】
ＩＰ−ＰＢＸ２から回答された最終更新日時が記憶部１４に登録された「ＰＢＸ１２３」に対応した特番リストのものと同一でない場合、制御部１２はＩＰ−ＰＢＸ２に対して特番リストの送信依頼を行い、ＩＰ−ＰＢＸ２から記憶部２４に保存された特番リストが送信されてくる（図１１ステップＳ２４）。
【００５６】
制御部１２は送信されてきた特番リストを「ＰＢＸ１２３」用の特番リストとして最終更新日時とともに記憶部１４に保存する（図１１ステップＳ２５）。以降の処理は、上述した本発明の第１の実施例による携帯内線電話機の動作と同様である。これによって、本実施例では、複数の携帯内線電話機が複数のＩＰ−ＰＢＸに接続する場合にも、特番割り当てが可能となる。
【００５７】
図１２は本発明の第３の実施例による特番割り当てされたアイコンの表示イメージを示す図である。本発明の第１の実施例では、図１０に示すように、特番割り当てされたアイコンが色変更によって示しているが、本発明の第３の実施例では、図１２に示すように、割り当てられていないアイコンを非表示とすることで、ユーザに割り当て済みのアイコンを通知している。尚、特番割り当てされたアイコンの表示としては、アイコン形状の変更等でユーザに割り当て済みのアイコンを通知することも可能である。
【００５８】
図１３は本発明の第４の実施例による特番割り当てされたアイコンの表示イメージを示す図であり、図１４は本発明の第４の実施例による特番割り当て前のアイコンの内容を示す図であり、図１５は本発明の第４の実施例による特番割り当て後のアイコンの内容を示す図である。
【００５９】
本発明の第１の実施例では、図１０に示すように、特番割り当て前に、すでに「コールピックアップ」等の機能名をアイコンに表示しているが、本発明の第４の実施例では、アイコン等のＧＵＩへの特番機能の割り当てを予め定義せずに、特番リストから順番にＧＵＩに内線機能と特番とを割り振り、さらに特番リストから取得した機能名をアイコンに表示することで、任意の内線機能に対応することが可能となる。
【００６０】
図１３（ａ）に示すように、特番割り当て前にはアイコン１，２，３には何の機能も割り当てられておらず、機能名も何も表示されていない。図１３（ａ）に表示されている白色のアイコン（１）〜（３）は、このようなアイコンが準備されているということを示しているだけであり、この段階ではユーザには何も見えない。これに対応する割り当てイメージを図１４に示す。
【００６１】
上述した本発明の第１の実施例では、図５に示すステップＳ１５の処理で特番リストを取得し、ステップＳ１６の処理でアイコンへの特番割り付けを行っているが、本実施例ではこの特番割り付けにおいて、取得した内線機能を順番に「アイコン（１）」、「アイコン（２）」に割り当てていく（図１５）。本実施例では、「アイコン１」に「コールピックアップ」を、「アイコン２」に「不在転送」を割り当てているが、「アイコン１」に「不在転送」を、「アイコン２」に「コールピックアップ」を割り当ててもよい。
【００６２】
さらに、本実施例では、図５に示すステップＳ１７の処理で表示変更を行う際に、アイコンに内線機能名を表示し、最終的に特番設定済みのアイコン１，２のみを表示部１５を通じてユーザに表示する［図１３（ｂ）参照］。
【００６３】
尚、上述した各実施例では、特番入力の手段として専用キー、アイコンを使用したが、音声コマンドによる入力（例えば、「コールピックアップ」と音声でマイクに発声すると、対応した特番で発信される）のような他の特番入力手段を用いた場合にも本発明が適用可能である。
【図面の簡単な説明】
【００６４】
【図１】本発明の第１の実施例による内線電話システムの構成を示すブロック図である。
【図２】図１に示す携帯内線電話機内の制御部の構成例を示すブロック図である。
【図３】図１に示すＩＰ−ＰＢＸ内の制御部の構成例を示すブロック図である。
【図４】図１に示すＩＰ−ＰＢＸの動作を示すフローチャートである。
【図５】図１に示す携帯内線電話機の動作を示すフローチャートである。
【図６】本発明の第１の実施例による特番リストを示す図である。
【図７】本発明の第１の実施例による専用キーへの特番の割り当てを示す図である。
【図８】本発明の第１の実施例によるアイコンへの特番の割り当てを示す図である。
【図９】本発明の第１の実施例による専用キーの点灯イメージを示す図である。
【図１０】本発明の第１の実施例によるアイコンの色変更イメージを示す図である。
【図１１】本発明の第２の実施例による携帯内線電話機の動作を示すフローチャートである。
【図１２】本発明の第３の実施例による特番割り当てされたアイコンの表示イメージを示す図である。
【図１３】本発明の第４の実施例による特番割り当てされたアイコンの表示イメージを示す図である。
【図１４】本発明の第４の実施例による特番割り当て前のアイコンの内容を示す図である。
【図１５】本発明の第４の実施例による特番割り当て後のアイコンの内容を示す図である。
【符号の説明】
【００６５】
１  携帯内線電話機
２  ＩＰ−ＰＢＸ
１１，２１  入力部
１２，２２  制御部
１３，２３  通信部
１４，２４  記憶部
１５，２５  表示部
１００  通信路
１２１  特番リスト取得機能
１２２  特番リスト割り当て機能
１２３  設定特番表示機能
１２４  内線電話機能
２２１  特番設定機能
２２２  特番リスト作成機能
２２３  内線電話交換機能
【図１】
0004760339.tif 000002
【図２】
0004760339.tif 000003
【図３】
0004760339.tif 000004
【図４】
0004760339.tif 000005
【図５】
0004760339.tif 000006
【図６】
0004760339.tif 000007
【図７】
0004760339.tif 000008
【図８】
0004760339.tif 000009
【図９】
0004760339.tif 000010
【図１０】
0004760339.tif 000011
【図１１】
0004760339.tif 000012
【図１２】
0004760339.tif 000013
【図１３】
0004760339.tif 000014
【図１４】
0004760339.tif 000015
【図１５】
0004760339.tif 000016